(57)【要約】      （修正有）【課題】軽量薄肉のボトルにも適用でき、ボトルの装着や保持が容易にでき、注ぎ出しが容易にできるボトル用ホルダを提供する。【解決手段】ボトルのノズル部をボトル装着部３１の開口部３２に側方から入れ、ボトルをカバー部３０内に入れることでボトルの装着が容易でき、装着されたボトルは両側面部を弾性押え部６１で挾んで保持できるようになり、ハンドル部４１を持ったり、ハンドル部４１とボトルの間に手を入れて接地したまま傾けることで保持されたボトルから簡単に注ぎ出すことができるようになる。【選択図】      図１
2004168386.tif 000002
【特許請求の範囲】
【請求項１】
ボトルのノズル部が側方の開口部から装着されるボトル装着部と、このボトル装着部に連続し装着されたボトルとの間に把持空間を介して設けられるハンドル部と、前記ボトル装着部に連続し前記ハンドル部の反対側に設けられボトルの少なくとも前面部および底部の一部を覆うカバー部と、このカバー部に設けられ装着されたボトルの両側面部を弾性的に挾む一対の弾性押え部とを備えることを特徴とするボトル用ホルダ。
【請求項２】
前記一対の弾性押え部をそれぞれ押え部と空孔部とで構成し、一方側の押え部と他方側の空孔部とが対向するとともに、一方側の空孔部と他方側の押え部とが対向する配置としたことを特徴とする請求項１記載のボトル用ホルダ。
【請求項３】
前記一対の弾性押え部が、それぞれ前記カバー部の底部の同一端面側同士、前面部同士、あるいは底部と前面部とに連結されて形成してあることを特徴とする請求項１または２記載のボトル用ホルダ。
【請求項４】
前記カバー部の前面部を、前方に突き出して注ぎ出し時に接地状態とし得る突出形状に形成してなることを特徴とする請求項１〜３のいずれかに記載のボトル用ホルダ。
【請求項５】
前記ボトル装着部を、前記ボトルのノズル部が注ぎ出し方向前方に傾けて形成されるのに対応して注ぎ出し方向前方に傾けてなることを特徴とする請求項１〜４のいずれかに記載のボトル用ホルダ。
【発明の詳細な説明】
【０００１】
【発明の属する技術分野】
この発明は、ボトル用ホルダに関し、薄肉軽量ボトルなどを装着して注ぎ易くするようにしたものである。
【０００２】
【従来の技術】
液体用の容器として種々の合成樹脂製のボトルが用いられており、例えば乳飲料や食用油などの容器等としても合成樹脂性のボトルが用いられており、最近では、ボトルの内容量の大きなものも使われている。
【０００３】
このようなボトルは、通常、円筒状や矩形筒状、あるいはデザイン性を付与した中空状の胴部の上端にノズル部が設けられ、ねじ式等のキャップが取り付けられて開閉できるようになっており、使い始める場合には、ねじ式等のキャップを回してシール部を切り離し、胴部を持って注ぐようにしている。
【０００４】
このようにボトルから内容物を注ぎ出す場合にボトルの胴部を持って行なおうとすると、胴部が太いこともあり、注ぎ難く、これを解消するため種々の提案がなされている。
【０００５】
例えば、図６に示す特許文献１に開示されたボトル支持用把手１では、把手部２の上端部にほぼ水平にボトル支持部３を形成し、このボトル支持部３にボトルＢのノズル部のつば状リング下部を係合する係合凹部４を設け、この係合凹部４の両先端から通したワイヤ５を把手部２に設けたレバー６で長さを変えるようにするとともに、把手部２の下端部にもボトル支持部７を形成してボトルＢの胴部の形状に沿うようにし、このボトル支持部７の両先端から通したワイヤ８を把手部２に設けたレバー９で長さを変えるようにしてある。
【０００６】
そして、上下２本のワイヤ５，８を長くした状態でボトルＢに被せ、上端部のボトル支持部３の係合凹部４にボトルＢのノズル部を係合した後、それぞれのワイヤ５，８をレバー６，９によって締め込んでボトル支持用把手１をボトルＢに固定し、把手部２を持つことで注ぎ易くしている。
【０００７】
一方、最近では、ボトルのリサイクルの問題からボトルの成形に要する合成樹脂材料などの使用量を削減して軽量薄肉化を図る必要があり、ボトルによってはボトル支持用把手を固定することができないものもある。
【０００８】
そこで、柔軟容器であっても適用できるものが提案されており、例えば図７に特許文献２に開示された柔軟容器の保持器１０を示すように、フィルム状材料で成形された図示しない柔軟容器をほぼ隙間なく装入する大きさの周側壁１１、底壁１２および頂壁１３を備えた保持器１０で、周側壁１１に外側に突き出した把手１４と下部に柔軟容器の下端部を突出可能とする窓孔１５と窓孔１５を挾んで対向する部分に下部を残して上端まで開口１６を形成し、頂壁１３に一端が開放した案内溝１７を形成して柔軟容器のノズル部を嵌合装入できるようにしてある。
【０００９】
そして、使用する場合には、柔軟容器を開口１６から斜めに差込み、直立させて案内溝１７にノズル部を嵌合装入するようにしてほぼ隙間なく装入し、把手１４を持ことで注ぎ易くしている。
【００１０】
【特許文献１】
特開平７−２５１８４３号公報
【特許文献２】
実開平７−１５５６６号のマイクロフィルム
【００１１】
【発明が解決しようとする課題】
ところが、このような柔軟容器の保持器をボトルに適用すると、内容液が入った状態ではボトルが変形し難く保持器への装着が困難となったり、ある程度注ぎ出した状態では、柔軟容器を保持器内で保持することができず、注ぎ出しに伴って柔軟容器が保持器内で動いてしまい、このためノズル部が外れてしまうなどの問題がある。
【００１２】
この発明はかかる従来技術の有する課題に鑑みてなされたもので、軽量薄肉のボトルにも適用でき、ボトルの装着や保持が容易にできるとともに、注ぎ出しが容易にできるボトル用ホルダを提供しようとするものである。
【００１３】
【課題を解決するための手段】
上記従来技術が有する課題を解決するためこの発明の請求項１記載のボトル用ホルダは、ボトルのノズル部が側方の開口部から装着されるボトル装着部と、このボトル装着部に連続し装着されたボトルとの間に把持空間を介して設けられるハンドル部と、前記ボトル装着部に連続し前記ハンドル部の反対側に設けられボトルの少なくとも前面部および底部の一部を覆うカバー部と、このカバー部に設けられ装着されたボトルの両側面部を弾性的に挾む一対の弾性押え部とを備えることを特徴とするものである。
【００１４】
このボトル用ホルダによれば、ボトルのノズル部が側方の開口部から装着されるボトル装着部と、このボトル装着部に連続し装着されたボトルとの間に把持空間を介して設けられるハンドル部と、前記ボトル装着部に連続し前記ハンドル部の反対側に設けられボトルの少なくとも前面部および底部の一部を覆うカバー部と、このカバー部に設けられ装着されたボトルの両側面部を弾性的に挾む一対の弾性押え部とを備えており、ボトルのノズル部をボトル装着部の開口部に側方から入れ、ボトルをカバー部内に入れることでボトルの装着が容易にでき、装着されたボトルは両側面を弾性押え部で挾んで保持できるようになり、ハンドル部を持ったり、ハンドル部とボトルの間に手を入れて接地したまま傾けることで保持されたボトルから簡単に注ぎ出すことができるようになる。
【００１５】
また、この発明の請求項２記載のボトル用ホルダは、請求項１記載の構成に加え、前記一対の弾性押え部をそれぞれ押え部と空孔部とで構成し、一方側の押え部と他方側の空孔部とが対向するとともに、一方側の空孔部と他方側の押え部とが対向する配置としたことを特徴とするものである。
【００１６】
このボトル用ホルダによれば、前記一対の弾性押え部をそれぞれ押え部と空孔部とで構成し、一方側の押え部と他方側の空孔部とが対向するとともに、一方側の空孔部と他方側の押え部とが対向する配置としており、ボトルの両側面を押えて保持する１対の弾性押え部をそれぞれ押え部と空孔部とで構成し、押え部と空孔部とを一方側と他方側でそれぞれ対向させることで簡単に一体成形できるようにしている。
【００１７】
さらに、この発明の請求項３記載のボトル用ホルダは、請求項１または２記載の構成に加え、前記一対の弾性押え部が、それぞれ前記カバー部の底部の同一端面側同士、前面部同士、あるいは底部と前面部とに連結されて形成してあることを特徴とするものである。
【００１８】
このボトル用ホルダによれば、前記一対の弾性押え部が、それぞれ前記カバー部の底部の同一端面側同士、前面部同士、あるいは底部と前面部とに連結されて形成してあり、カバー部の底部の同一端面側同士、前面部同士、あるいは底部と前面部とに連結されたいずれの１対の弾性押え部によってもボトルの両側面を押えて保持することができ、カバー部の後方からボトルの装着が容易にできるようにしている。
【００１９】
また、この発明の請求項４記載のボトル用ホルダは、請求項１〜３のいずれかに記載の構成に加え、前記カバー部の前面部を、前方に突き出して注ぎ出し時に接地状態とし得る突出形状に形成してなることを特徴とするものである。
【００２０】
このボトル用ホルダによれば、前記カバー部の前面部を、前方に突き出して注ぎ出し時に接地状態とし得る突出形状に形成してあり、底部を接地したまま傾けて注ぎ出す場合に、突出形状に沿わせて傾けることで内容液と空気との置換も円滑に行われ一層容易に注ぎ出すことができるようにしている。
【００２１】
さらに、この発明の請求項５記載のボトル用ホルダは、請求項１〜４のいずれかに記載の構成に加え、前記ボトル装着部を、前記ボトルのノズル部が注ぎ出し方向前方に傾けて形成されるのに対応して注ぎ出し方向前方に傾けてなることを特徴とするものである。
【００２２】
このボトル用ホルダによれば、前記ボトル装着部を、前記ボトルのノズル部が注ぎ出し方向前方に傾けて形成されるのに対応して注ぎ出し方向前方に傾けるようにしており、傾けたノズル部をボトル装着部に装着して注ぎ出すことで、内容液と空気との置換も一層円滑に行われボトルのつぶれを防止しながら容易に注ぎ出すことができるようになる。
【００２３】
【発明の実施の形態】
以下、この発明の実施の形態について図面に基づき詳細に説明する。
図１〜図３はこの発明のボトル用ホルダの一実施の形態にかかり、図１は全体の概略斜視図、図２は正面図、平面図および左側面図、図３は右側面図および背面図である。
【００２４】
このボトル用ホルダ３０は、合成樹脂製のボトルに装着して使用するもので、注ぎ出す場合はもちろん、縦置き状態からの取り出しなどにも使用することでボトルの取り扱いを容易とするものであり、ボトルの形状や材料に何等制限はなくどのような形状のものであって良い。
【００２５】
ここでは、ボトル用ホルダ３０に装着されるボトルとして、例えば図２および図３に示すように、ボトル２０の上面部２１が注ぎ出し方向前方に傾けられてノズル部２２が設けられてつば状リング部２２ａの上方の注ぎ出し口２２ｂがねじ式のキャップ２３で開閉できるようになっており、前面部２４、底部２５、両側面部２６，２６がいずれも平面状とされ、後面部２７が曲面状とされた中空状としてある。また、ボトル２０の両側面部２６や後面部２７などには、補強用溝２８や廃棄する場合につぶし易くする案内溝２９が形成してある。そして、このボトル２０は、例えばポリオレフィン系樹脂をダイレクトブロー成形して軽量薄肉としてあり、部分射出成形法などによりつば状リング部２２ａやその上方の注ぎ出し口２２ｂ等を含むノズル部２２が厚肉とされて剛性を備え、他の部分２１、２４〜２７は薄肉としてあり、ボトル２０としての自立性は備えるようにしてある。また、ボトル２０は、中間層をエチレン−ビニルアルコール共重合体熱可塑性ガスバリヤー樹脂層とし、その内外層にポリオレフィン系樹脂を配した多層ボトルとすることもできる。
【００２６】
このボトル用ホルダ３０は、ボトル２０を装着保持するボトル装着部３１、把持用のハンドル部４１、ボトル２０の周囲を覆うカバー部５１およびボトル２０の両側面部を弾性的に押えて保持する弾性押え部６１を備えて構成され、例えば合成樹脂により一体成形される。
【００２７】
このボトル用ホルダ３０は、上部にボトル２０の上面部２１に対応して注ぎ出し方向前方に傾けたボトル装着部３１を備えており、このボトル装着部３１にボトル２０のノズル部２２が側方から装入される開口部３２が略Ｕ字状に形成してある。この開口部３２には、傾斜直角方向から見たときにＵ字状の側壁部３３の内側に水平な水平壁部３４が連続して形成され、この水平壁部３４の開口端近傍の両側に突き出してノズル部２２を係合保持する係合部３５として突起部がアンダーカットとして形成してあり、開口部３２に装着されたノズル部２２を開口端側から押さえてボトル２０をボトル装着部３１に取り付けた状態を保持できるようにしてある。
【００２８】
したがって、このボトル装着部３１へのボトル２０の装着やボトル装着部３１からのボトル２０の取り外しは、Ｕ字状の側壁部３３の弾性を利用して拡げるようにすることで行なわれる。
【００２９】
このようなボトル装着部３１は、ボトル２０を装着できる大きさであれば良く、例えば図２（ｂ）で明らかなように、注ぎ出し方向前後（紙面左右方向）には、前方から約半分程度、これと直交する方向（紙面上下方向）には、開口部３２がノズル部２２の外側端までくる幅になっている。
【００３０】
このようなボトル装着部３１には、注ぎ出し方向後方に、このボトル装着部３１にボトル２０を装着した状態でボトル２０の後面部２７との間に手を入れることができる把持空間をあけてハンドル部４１がボトル２０の幅方向中央に設けてあり、ハンドル部４１の上端部がボトル装着３１に連続して形成され、下端部は開放状態のオープンハンドル状になっており、例えばその横断面形状が９０度回転した略Ｈ字状にしてある。
【００３１】
また、このハンドル部４１は中間部の最上部がボトル２０のキャップ２３の上端とほぼ同一の高さとされ、後方への突き出し量もボトル２０の後面部２７の最後部とほぼ同一としてあり、ボトル２０を収納できる直方体状の空間内に入るようにしてある。これにより、ボトル２０を並べて収納するのに用いているダンボール等の梱包容器の大きさをボトル用ホルダ３０の厚さに対応する分だけ大きくしたもので良く、梱包後の状態もほとんど変わらない大きさにすることができるようになる。
【００３２】
さらに、このボトル用ホルダ３０では、ボトル装着部３１に連結されてカバー部５１が設けられ、ボトル２０の少なくとも前面部２４および底部２５の一部を覆うようになっており、ここでのカバー部５１は前面部５２、底部５３およびボトル装着部３１の開口部と反対側（図２（ｂ）での紙面上側）の側面部５４とで構成してある。
【００３３】
このカバー部５１の前面部５２がボトル２０の前面部２４を一方の側面部２６からノズル部２２の外側端までの範囲を覆うように形成され、カバー部５１の底部５３がボトル２０の底部２５全体を覆うように形成され、さらにカバー部５１の側面部５４が、図３（ｂ）に示すように、ボトル２０の側面部２６のほぼ全体を覆うように形成してある。
【００３４】
また、カバー部５１の底部５３の下面には、安定して縦置き状態にできるように支持台部５５が連続して形成してある。
【００３５】
さらに、このカバー部５１には、ボトル２０の両側面部２６，２６を弾性的に挾んで保持する弾性押え部６１が連続して形成してあり、この弾性押え部６１は左右１対の押え部６２，６３で構成され、それぞれの押え部６２，６３が内側に傾くように合成樹脂で一体成形され、あるいは成形後の合成樹脂の冷却収縮を利用して、合成樹脂素材および形状的な弾性力でボトル２０を挾むようにしてある。
【００３６】
そして、一方側の押え部６２が、図３（ｂ）に示すように、カバー部５１の側面部５４の下部に配置されて底部５３から上方に突き出すように形成され、側面部５４との間に空孔部６４を介して形成してある。また、他方の押え部６３は、図２（ａ）に示すように、カバー部５１の底部５３から上方に突き出して一方の押え部６２の外側を囲むリング状に形成してあり、一方の押え部６２に対応する空孔部６５がリング状の内側に形成された状態となっている。
【００３７】
このようなボトル用ホルダ３０では、全体を合成樹脂で一体成形することから、一方側の空孔部６４および押え部６２に対して、他方側の押え部６３および空孔部６５がそれぞれ対応するようになっており、空孔部６４の内側に押え部６３がはいり、空孔部６５の内側に押え部６２がはいる大きさとしてある。
【００３８】
このように構成したボトル用ホルダ３０では、後方からボトル２０全体をホルダ３０内に入れるようにするとともに、ボトル装着部３１の開口部３２に側方からボトル２０のノズル部２２のつば状リング部２２ａの下部を入れ、係合部３５の突起部を押し拡げるようにして装着してノズル部２２を保持する。
【００３９】
すると、ボトル２０は、ノズル装着部３１で固定されて保持状態とされるとともに、ボトル２０の両側面部２６，２６が弾性押え部６１の一対の押え部６２，６３で挾まれて胴部も保持された状態となる。
【００４０】
そして、ボトル２０から内容物を注ぎ出す場合には、キャップ２３を外した後、ハンドル部４１を一方の手で握って持ち上げ、傾けて注ぎ出すようにしたり、さらに他方の手をホルダ３０に添えて傾けて注ぎ出すようにする。
【００４１】
また、ハンドル部４１とボトル２０の後面部２７との間に手を入れてボトル２０を手のひらで覆うようにするとともに、手の甲をハンドル部４１の内側に当て、ホルダ３０の前面部２４の下端部を床面等に付けたまま傾けるようにして注ぎ出すこともでき、特に、内容量が多く重いボトル２０であっても全体を持ち上げることなくわずかな力で注ぎ出すことができ、力のない者でも簡単に注ぎ出すことができる。
【００４２】
さらに、このボトル用ホルダ３０では、ボトル２０のノズル部２２と両側面部２６，２６を保持するようにしているので、ボトル２０がホルダ３０内で動くことがなく、ボトル２０がボトル装着部３１から外れることを防止することができる。
【００４３】
また、このボトル用ホルダ３０では、ボトル２０の傾けて形成したノズル部２２に対応してボトル装着部３１も傾けてあるので、内容物を注ぎ出す場合に注ぎ出し口２２ｂ部分での内容物と空気との置換がスムーズに行われ、安定した状態で注ぎ出すことができるとともに、内部が真空状態となってボトル２０が急につぶれることも防止できる。
【００４４】
さらに、このボトル用ホルダ３０では、冷蔵庫などに縦置き状態とした場合でもハンドル部４１が上部に位置しているので、ハンドル部４１によって取り出したり、収納することができる。
【００４５】
また、ボトル２０の両側面部２６，２６を弾性的に押える弾性押え部６１の１対の押え部６２，６３を空孔部６４，６５と組み合わせて配置してあるので、一体成形することができ、簡単に製造することができる。
【００４６】
なお、上記実施の形態では、ボトル用ホルダ全体を合成樹脂で一体形成する場合を例に説明したが、各部を別に成形し、接着や溶着等で連結して一体にしたり、機械的に連結して一体にしたものであっても良い。
【００４７】
次に、この発明の他の一実施の形態について図４により説明するが、既に説明した上記実施の形態とボトル用ホルダと同一部分には同一番号を記し、重複する説明は省略する。
【００４８】
このボトル用ホルダ７０では、カバー部５１が前面部５２と底部５３とで構成され、側面部が省略された状態としてあり、底部５３もボトル２０を装着した状態で自立させて傾かいない程度に小さくしてある。
【００４９】
また、このボトル用ホルダ７０では、弾性押え部７１が１対の押え部７２，７３で構成されるが、それぞれの押え部７２，７３がカバー部５１の前面部５２と底部５３との間を連結するようにそれぞれ２本の曲板状に形成してある。
【００５０】
そして、一方の押え部７２には２つの空孔部７４が、他方の押え部７３には１つの空孔部７５が形成され、これら押え部７２，７３と空孔部７４，７５とを互いに反対に組み合わせて配置することで、一体成形できるようにしてある。
【００５１】
なお、他の構成は既に説明したボトル用ホルダ３０と同一である。
【００５２】
このようなボトル用ホルダ７０によってもボトル２０の両側面部２６，２６を弾性押え部７１の１対の押え部７２，７３で挾むように保持することができ、ボトル２０が動くことを防止し、ノズル装着部３１からボトル２０のノズル部２２が外れることも防止できる。
【００５３】
また、このボトル用ホルダ７０では、１対の押え部７２，７３がいずれもカバー部５１の前面部５２と底部５３を連結して設けられるので、底部５３を支える強度を向上することができる。
【００５４】
さらに、このボトル用ホルダ７０でもボトル用ホルダ３０と同一の作用効果を奏する。
【００５５】
次に、この発明のさらに他の一実施の形態について図５により説明するが、既に説明したボトル用ホルダ７０と同一部分には同一番号を記し、重複する説明は省略する。
【００５６】
このボトル用ホルダ８０では、カバー部５１の前面部８１の形状が異なるものであり、注ぎ出しを一層容易にするものである。
【００５７】
このボトル用ホルダ８０では、カバー部５１の前面部８１を、前方に突き出した円弧状の曲面の突出形状に形成してある。
【００５８】
また、ボトル２０の前面部２４ａも円弧状の曲面の突出形状としており、これにより内容量を増大することができるが、平坦な前面部２４としたボトル２０を装着しても良い。
【００５９】
なお、他の構成は既に説明したボトル用ホルダ７０と同一である。
【００６０】
このようなボトル用ホルダ８０によれば、ハンドル部４１とボトル２０の後面部２７との間に手を入れてボトル２０を手のひらで覆うようにするとともに、手の甲をハンドル部４１の内側に当て、ホルダ８０の前面部８１の下端部を床面等に付けたまま傾けるようにして注ぎ出す場合に、曲面の突出形状に沿わせて傾けることで注ぎ出すことができ、傾けた状態を保持する力も小さくて良く、一層小さな力で注ぎ出すことができるとともに、内容液と空気との置換も円滑に行われ一層スムーズに注ぎ出すことができる。
【００６１】
さらに、このボトル用ホルダ８０でもボトル用ホルダ７０やボトル用ホルダ３０と同一の作用効果を奏する。
【００６２】
なお、上記各実施の形態では、ボトルとして特殊形状のものを例に説明したが、これに限らず通常の胴部が円筒状や矩形筒状など他の形状のボトルやノズル部が傾かないボトルであっても良く、ボトルの材質もポリオレフィン系樹脂に限らず他の合成樹脂や金属あるいはガラスなど他の材質であっても良い。
【００６３】
【発明の効果】
以上、実施の形態とともに具体的に説明したように、この発明の請求項１記載のボトル用ホルダによれば、ボトルのノズル部が側方の開口部から装着されるボトル装着部と、このボトル装着部に連続し装着されたボトルとの間に把持空間を介して設けられるハンドル部と、前記ボトル装着部に連続し前記ハンドル部の反対側に設けられボトルの少なくとも前面部および底部の一部を覆うカバー部と、このカバー部に設けられ装着されたボトルの両側面部を弾性的に挾む一対の弾性押え部とを備えて構成したので、ボトルのノズル部をボトル装着部の開口部に側方から入れ、ボトルをカバー部内に入れることでボトルの装着が容易にでき、装着されたボトルは両側面を弾性押え部で挾んで保持することができ、ハンドル部を持ったり、ハンドル部とボトルの間に手を入れて接地したまま傾けることで保持されたボトルから簡単に注ぎ出すことができる。
【００６４】
また、この発明の請求項２記載のボトル用ホルダによれば、前記一対の弾性押え部をそれぞれ押え部と空孔部とで構成し、一方側の押え部と他方側の空孔部とが対向するとともに、一方側の空孔部と他方側の押え部とが対向する配置としたので、ボトルの両側面を押えて保持する１対の弾性押え部をそれぞれ押え部と空孔部とで構成し、押え部と空孔部とを一方側と他方側でそれぞれ対向させることで簡単に一体成形することができる。
【００６５】
さらに、この発明の請求項３記載のボトル用ホルダによれば、前記一対の弾性押え部が、それぞれ前記カバー部の底部の同一端面側同士、前面部同士、あるいは底部と前面部とに連結されるように形成したので、カバー部の底部の同一端面側同士、前面部同士、あるいは底部と前面部とに連結されたいずれの１対の弾性押え部によってもボトルの両側面を押えて保持することができ、カバー部の後方からボトルを容易に装着することができる。
【００６６】
また、この発明の請求項４記載のボトル用ホルダによれば、前記カバー部の前面部を、前方に突き出して注ぎ出し時に接地状態とし得る突出形状に形成したので、底部を接地したまま傾けて注ぎ出す場合に、突出形状に沿わせて傾けることで一層小さな力で注ぎ出すことができるとともに、内容液と空気との置換も円滑に行われ一層円滑に注ぎ出すこともできる。
【００６７】
さらに、この発明の請求項５記載のボトル用ホルダによれば、前記ボトル装着部を、前記ボトルのノズル部が注ぎ出し方向前方に傾けて形成されるのに対応して注ぎ出し方向前方に傾けるようにしたので、傾けたノズル部をボトル装着部に装着して注ぎ出すことで、内容液と空気との置換も一層円滑に行われボトルの急激なつぶれを防止しながら円滑に注ぎ出すことができる。
【図面の簡単な説明】
【図１】この発明のボトル用ホルダの一実施の形態にかかる全体の概略斜視図である。
【図２】この発明のボトル用ホルダの一実施の形態にかかる正面図、平面図および左側面図である。
【図３】この発明のボトル用ホルダの一実施の形態にかかる右側面図および背面図である。
【図４】この発明のボトル用ホルダの他の一実施の形態にかかる正面図、左側面図および背面図である。
【図５】この発明のボトル用ホルダのさらに他の一実施の形態にかかる正面図である。
【図６】従来のボトル支持用把手の概略斜視図である。
【図７】従来の柔軟容器の保持器の概略斜視図である。
【符号の説明】
３０，７０，８０  ボトル用ホルダ
３１  ボトル装着部
３２  開口部
３３  側壁部
３４  水平壁部
３５  係合部（アンダーカット）
４１  ハンドル部
５１  カバー部
５２  前面部
５３  底部
５４  側面部
５５  支持台部
６１，７１  弾性押え部
６２，６３，７２，７３  押え部
６４，６５，７４，７５  空孔部
８１  前面部
２０  ボトル
２２  ノズル部
２４  前面部
２５  底部
２６  側面部
【図１】
2004168386.tif 000003
【図２】
2004168386.tif 000004
【図３】
2004168386.tif 000005
【図４】
2004168386.tif 000006
【図５】
2004168386.tif 000007
【図６】
2004168386.tif 000008
【図７】
2004168386.tif 000009